Podtech/llm-jp-corpus-v4-ja_patent huggingface dataset:
(57)【要約】      （修正有）【課題】トラックなどのデイゼルエンジンに灯油をつかわず、天然ガスＣＮＧを使用したエンジンと、テコ棒をつかい無公害にした、テコ棒エンジンを提供する。【解決手段】テコ棒エンジン１にピストン２、クランクシャフト３をつけて、テコ棒エンジンを動かすために、天然ガスＣＮＧエンジン９で主発電モーター１０から、つなぎコード線１１により、左右両側のクランクシャフト電気モーター４を回し、テコ棒上下クランクシャフト５も同時に回して上下たてテコ棒７を上下運動させて、テコ棒６を上下運動させて、ピストンも上下運動させて、テコ棒エンジン側のクランクシャフトを回して、動力棒１４を回して、トラック、などの自動車をうごかす。【選択図】図２
0003106958.tif 000002
【実用新案登録請求の範囲】
【請求項１】
イ）テコ棒エンジン（１）に、ピストン（２）、クランクシャフト（３）を設ける。
ロ）テコ棒エンジン（１）を動かすために、天然ガスＣＮＧエンジン（９）を動かし、主発電モーター（１０）を、あきスペースに設ける。
ハ）主発電モーター（１０）から、つなぎコード線（１１）により、テコ棒エンジン（１）側の左右両側にクランクシャフト電気モーター（４）を回し、テコ棒上下クランクシャフト（５）も同時に回して上下たてテコ棒（７）を上下運動させるように設ける。
ニ）上下たてテコ棒（７）からの上下運動で、テコ棒（６）を上下させ、ピストン（２）を上下運動させて、テコ棒エンジン（１）側のクランクシャフト（３）を回して、動力棒（１４）を回転させるように設ける。
ホ）上下たてテコ棒（７）が、ぶれないように、固定パット（１２）を設ける。
以上の如く構成されたテコ棒エンジン。
【請求項２】
普通自動車に使用する時は、ＬＰＧ、ＣＮＧガスエンジン（９）をバッテリー、電気モーターエンジンにした請求項１のテコ棒エンジン。
【考案の詳細な説明】
【考案の詳細な説明】
〔産業上の利用分野〕
【０００１】この考案は、すす、ＣＯ２などの公害問題になっているデイゼルエンジンのトラックなどのエンジンを、無公害の天然ガス（ＣＮＧ）のエンジンとテコ棒を使用して無公害な、トラックのエンジンを作ろうとする、テコ棒エンジンに関するものである。
〔従来の技術〕
【０００２】イ）従来の燃料を軽油で動かしている、デイゼルエンジンは、すす、ＣＯ２などの排気ガスを出していて公害でした。
ロ）従来のＬＰＧガス、天然ガスＣＮＧエンジンの無公害バスなどがありましたが、ちからがなく、コストも高かいです。
ハ）従来、普通自動車は、燃料電池エンジンが無公害ですが、コストが高く、ガソリン、電気エンジンを両用したエンジンの自動車もコストが高いです。
〔考案が解決しようとする課題点〕
【０００３】本案は、その欠点を除いて、ＬＰＧ、ＣＮＧガスエンジンと、テコ棒を使用して、無公害のトラックエンジンを開発しようとするものである。
〔課題を解決するための手段〕
【０００４】いまその解決手段を図面に追いながら説明すれば、
イ）テコ棒エンジン（１）にピストン（２）、クランクシャフト（３）を各棒でつなげ自由ジョイントにし、天然ガスＣＮＧエンジン（９）を動かして主発電モーター（１０）から、つなぎコード線（１１）で、クランクシャフト電気モーター（４）に電気をおくり回転させて、テコ棒上下クランクシャフト（５）も同時に回して、上下たてテコ棒（７）を上下運動させて、テコ棒（６）を上下運動させて、テコ棒エンジン（１）の両側に固定点（８）を設けて、ピストン（２）をテコ棒（６）で上下運動させて、クランクシャフト（３）を回転させて、動力棒（１４）で、トラックなどのデイゼルエンジンのかわりにする。
ロ）テコ棒（６）、上下たてテコ棒（７）が、ぶれないように固定パット（１２）を設ける。
ハ）全体をかためるために、固定板（１３）前固定板（１３′）、側面左右板を設ける。
〔作用〕
【０００５】本案は、以上のような構造であるから、各テコ棒は超合金を使用し、接合部は自由ジョイントとする。
〔実施例〕
【０００６】本考案の実施に当って、次の如きことができる。
イ）無公害の天然ガスＣＮＧエンジンを使用し、テコ棒でピストンを動かし上下運動させてクランクシャフトを回して、動力を作るので、テコ棒エンジンの作りが、かんたんな作りになると思ます。
ロ）排気ガスの、すすＣＯ２が出ず、力も出ると思ます。
〔考案の効果〕
【０００７】イ）したがって、むずかしい部品もなくなり、コストダウンになり、さか道でもパワーはおちないと思ます。
ロ）排気ガスのすす、ＣＯ２が出ずに、無公害トラックエンジンが出きると思ます。
【図面の簡単な説明】〔図１〕図１
本案の上面図
〔図２〕図２
本案の前面図
〔図３〕図３
本案の側面図
【符号の説明】
１は  テコ棒エンジン
２は  ピストン
３は  クランクシャフト
４は  クランクシャフト電気モーター
５は  テコ棒上下クランクシャフト
６は  テコ棒
７は  上下たてテコ棒
８は  固定点
９は  天然ガスＣＮＧエンジン
１０は  主発電モーター
１１は  つなぎコード線
１２は  固定パット
１３は  固定板
１３′は  前固定板
１４は  動力棒
【図１】
0003106958.tif 000003
【図２】
0003106958.tif 000004
【図３】
0003106958.tif 000005
(57)【要約】【課題】  従来の下駄を改良して、健康作りやリハビリ、身体鍛錬などにも役立つようにする。【解決手段】  下駄（Ａ）の足乗せ台（１）全表面に多数のイボ突起（２）を設け、且つ鼻緒（４）を親指側に寄せて備えると共に、該台（１）のほぼ中央下部に肉厚の一本歯（３）を装備してなる。【選択図】    図１
0003106959.tif 000002
【実用新案登録請求の範囲】
【請求項１】
下駄（Ａ）の足乗せ台（１）全表面に多数のイボ突起（２）を設け、且つ鼻緒（４）を親指側に寄せて備えると共に、該台（１）のほぼ中央下部に肉厚の一本歯（３）を装備してなることを特徴とした健康下駄。
【考案の詳細な説明】
【技術分野】
【０００１】  本考案は、従来の下駄に新機能を付加することによって、健康作りやリハビリ、身体鍛錬などに寄与するものである。
【従来技術】
【０００２】  従来、木製などの下駄は、足乗せ台と二本の歯と鼻緒からなっている。
【考案が解決しようとする課題】
【０００３】  上記の下駄は、これを足に履いて歩く機能しかない。
【０００４】  そこで本考案は、従来の下駄に指圧装置を設けることによって、歩くたびに足裏のツボを刺激し、血行増進や内臓強化、頭脳活性化を図れるものである。また鼻緒の取付位置を親指側に寄せることによってその効果を高められるようにしてある。
【０００５】  更に、下駄の歯をやや肉厚の一本歯（３）とし、足乗せ台（１）のほぼ中央下部に設けてある。
木製の下駄の場合は、その足乗せ台（１）の全表面に多数のイボ突起（２）を有するプラスチックシートを貼着する。プラスチック製の下駄の場合は、足乗せ台（１）とイボ突起（２）と一本歯（３）を一体成型し、これに鼻緒（４）を付ければよい。
【考案の実施の形態・実施例】
【０００６】  上記下駄（Ａ）を履いて歩行すれば、多数のイボ突起（２）が両足裏のツボを交互に刺激し、血行増進や内臓、頭脳の強化と活性化を促進する。
【０００７】  また、前述のように肉厚の一本歯（３）となっているから、全身でバランスをとりながら歩行しなければならないので否応なく全身運動となる。ツボを刺激しながらバランス感覚を強化できる。なお一本歯（３）はやや肉厚としてあるから、ある程度は停止して直立できる。
【０００８】  また、一本歯であるから足乗せ台（１）を前後に傾斜できるので、足首やアキレス腱の鍛錬もできる。
【０００９】  なお、上記下駄（Ａ）で歩く際、伸縮調節自在杖（５）を使えば、歩行停止時の安定や休止の補助ができると共に、身体を捻ったり、腕を広げたり、縮めたり、腰の曲げ伸ばしを行ったりでき、全身運動の範囲を大幅に広げることができる。
【考案の効果】
【００１０】  両足裏のツボを強力に刺激して血行増進や、内臓、頭脳の強化と活性化が行えると共に、バランス感覚の強化や足首、アキレス腱の鍛錬や、腕、腰の屈伸運動などの全身運動が実施できる有益にしてユニークな健康下駄を提供するものである。
【図面の簡単な説明】
【００１１】
【図１】  本考案の実施状態を示す平面図。
【図２】  本考案の実施状態を示す側面図。
【図３】  伸縮調節自在杖を示す側面図。
【符号の説明】
【００１２】１    足乗せ台
２    イボ突起
３    一本歯
４    鼻緒
５    伸縮調節自在杖
Ａ    下駄
【図１】
0003106959.tif 000003
【図２】
0003106959.tif 000004
【図３】
0003106959.tif 000005
(57)【要約】【課題】室内で飼うペット用トイレはペットが排便後早めにトイレ・シートや砂等を処理し、室内に臭いのこもりを防ぎたい。又、犬によってはその犬の大便を食べてしまう（食糞症）ことがあるが、この習性を止めるようにしたいが大便を食べたら直ぐに教え込まないとしつけにならない。【解決手段】ペットがトイレを使ったときにトイレから離れた場所でもチャイム音等の音で判るペット用トイレを考案した。トイレにペットが乗るとトイレに取り付けた発信スイッチが入り離れた部屋でもペットが便をしたことが判り早めに便の始末が出来、室内に臭いのこもるのを防ぐことが出来る。大便の場合は音が長くなることから判断でき大便を食べる（食糞症）ペットについては直ぐに駆けつけ止めるしつけをすることが出来る。【選択図】図１
0003106961.tif 000002
【実用新案登録請求の範囲】
【請求項１】
ペットがペット用トイレを使用した時に感知し、通報できる機器をつけたペット用トイレ。
【考案の詳細な説明】
【技術分野】
【０００１】本考案はペットがペット用トイレを使用したときに離れた場所でもトイレの使用を知るための通報装置に関する。
【背景技術】
【０００２】ペットがトイレを使用した時に通報する装置は登録実用新案第３０６６５５０号にある。
本考案はトイレに直接発信スイッチを取り付けオープン型のペット用トイレでも使用でき、トイレを使用している時間から大便、小便の区別を判断できる。受信通報装置により離れた場所でもトイレの使用が判り、トイレの近くで音がしないのでペットも従来通り変わりなく使用する。この考案は今までに無かった。
犬がその犬の大便を食べてしまう習性も大便の後に直ぐしつけることが出来るのでやめさせることが出来る。
食糞症文献  ラブラドール・レトリーバーのしつけ方  誠文堂新光社
犬のしつけと訓練法                    西東社
【考案の開示】
【考案が解決しようとする課題】
【０００３】従来の方法ではトイレの入り口の前にシートを置きそこにペットが乗ったときにそのシートに組み込んだ報知器が鳴る装置であるのでつぎの問題がある。
（１）ペットが通過した時にそのシートが鳴ることから、トイレの近くに人がいないとトイレの使用が判らない。
（２）入り口の決まったトイレでないと使用できない。
（３）近くで音がするとペットはトイレを使わなくなることがある。
（４）トイレと別な設備が必要になる。
以上の課題を解決する。
【課題を解決する手段】
【０００４】本考案はトイレに直接発信スイッチを取り付けトイレ使用時に離れた場所の受信装置のチャイム音等で知ることが出来ることから人の居る近くに受信装置を置くことで別の部屋にいてもトイレの使用が判るように考案した。
原理はトイレの裏に発信スイッチを取り付け、離れた受信装置で信号を受けたときに音がするようにしてある。ペットがトイレに乗ることによりスイッチが入り信号が発せられる。ペット用トイレはほとんどの既製品がそのまま使用出来る。音の出る受信装置は人のいる近くで音の聞こえる場所に置いておくか、又は持ち歩いても使用できるよう乾電池で働く。
【考案の効果】
【０００５】ペットがペット用トイレを使用したことが離れた場所でも判ることから便の始末が時間を置かないでも出来るようになり、室内に臭いが長い間こもることがなくなる。鳴っている時間の長さにより大便と小便の判断も出来る。大便の時は終わったら直ぐに駆けつけ食べないように食糞症を治すしつけをすることが出来る。また、ペットの近くで鳴らさないことからペットは気にせずに通常の時と変わらずトイレを普段通り使用する。
【考案を実施する為の最良の形態】
【０００６】ペット用トイレに取り付けるスイッチはワイヤレスとし、スイッチがペットの重さにより働く調整が出来る様にする。受信側の音を出す装置は電池で働き小型で軽い方が良い。音量の調整が出来る様にする。
【実施例】
【０００７】生後２ヶ月の大型犬（レトリバー）を室内で飼い始め、ペット用トイレで便をするしつけはほとんど苦労せずに覚えた。しかし、近くに人がいないと大便を食べてしまう（食糞症）に悩まされ、何時大便を食べたのか判らないことからしつけのしようがなかった。半年間は家族中で気を付け種々試したが止まらなかったが、当考案のペット用トイレを使用したときに人の居る近くで音が聞こえるようにしてからきちんとしつけが出来る様になりそれ以降２箇月の間大便を食べることをしていない。臭いについても気にならない位に少なくなった。音の出る受信装置は木造二階建ての建物で全ての部屋で受信できた。
【産業上の利用可能性】
【０００８】
【図面の簡単な説明】
【０００９】
【図１】          「トイレの使用を知らせるペット用トイレを示した全体の図である。」
【図２】          「トイレの使用を知らせるペット用トイレを示した平面図である。」
【図３】          「トイレの使用を知らせるペット用トイレを示した断面図である。」
【符号の説明】
【００１０】          １  ペット用トイレ
２  発信スイッチ
３  受信装置（チャイム音等の音が出る装置）
【図１】
0003106961.tif 000003
【図２】
0003106961.tif 000004
【図３】
0003106961.tif 000005
(57)【要約】【課題】国産間伐材の丸太をパネルにし、化粧型枠として人力施工を可能にする【解決手段】国産間伐材の丸太を、丸太７のように加工して、ログパネル１のように熔融亜鉛メッキボルト３にて組立、人力施工ができる大きさと重量（２０ｋｇ前後）にし、化粧型枠として組立時、雇実４により連続性を持たせることにより、型枠精度の向上を図り、組み立てを容易にし、更にコンクリート６との付着を熔融亜鉛メッキアンカーボルト２にて確実にし、デザイン的にも市松格子や縞模様にするなどの選択ができ、保存処理により腐食やシロアリなどから守り耐久性を持たせることにより、擁壁やトンネル坑門工など、あらゆるコンクリート構造物の化粧として存置されることを目的として、人力施工可能なパネルとした。【選択図】図３
0003106963.tif 000002
【実用新案登録請求の範囲】
【請求項１】
国産間伐材を丸棒に加工し、保存処理した丸太をコンクリートの化粧用型枠とするため正方形パネル（基本形）に製作し、埋め込みアンカー装着及びパネルとパネルのジョイントに雇実（やといざね）を設けてパネルに連続性を持たせ、型枠及び構造物としての精度の確保ができ、丸太が腐朽するまで存置して、更に補修時パネルの部分的な交換もでき、丸太が腐朽しても丸太の凹凸が残り、丸太の持つやさしさと美観を特徴とするログパネル。
【考案の詳細な説明】
【技術分野】
【０００１】  本考案は、コンクリート打設用型枠とコンクリートの化粧を兼ねた化粧型枠ログパネルに関するものである。
【背景技術】
【０００２】  間伐材を使用したコンクリート化粧型枠は、鋼製枠に丸太を取り付けたもの等が数種有り、主に景観を重視するコンクリート谷止工、小規模ダムの化粧型枠として使用されている。【０００３】  しかし、丸太の長い寸法のものを鋼製枠に取付けるなど、型枠としては大型型枠として連続性のある構造物に使用されるケースが多く、型枠の丸太の設置方向も一方向が多く小型擁壁などに使用するには簡易性に問題があり、重機作業の必要性もある。【０００４】  補修面においても補修必要箇所に対して取り替え等の規模も大きくなり、取り替え不能な化粧型枠もある。【０００５】  美観的な面をみると、一方向に丸太を並べたものが多く、美観的にはコンクリートと大差がない。
【考案の開示】
【考案が解決しようとする課題】
【０００６】  解決しようとする問題点は、丸太を使用した従来の存置型の木製化粧型枠は、重量が大きいため人力施工が困難で、小型構造物に使用できるものが少なく、美観も劣る点である。
【課題を解決するための手段】
【０００７】  本考案は、丸太をパネルにして軽量にし、雇実により連続性を持たせ、人力施工を可能とし、ログパネルの丸太方向を縦・横・斜に使用することで美観も向上させる特徴がある。
【考案の効果】
【０００８】  本考案のログパネルは、一枚当り２０ｋｇ前後と軽く、人力で通常の合板型枠と同じようにセパレーターを使用しながらホームタイで固定し、コンクリート打設をすることができ、組立時、雇実（やといざね）を使用しログパネルを建てこむことことができるので、精度面においても有効であり、アンカーボルトを４本埋め込むことで、コンクリートとログパネルの付着も確実にでき、しかも異形の加工にも対応でき、保存処理丸太を使用するので耐久性も高く、美観的にもパネルの組み合わせを選べる利点がある。
【考案を実施するための最良の形態】
【０００９】  国産間伐材を保存処理し、ログパネルとして、コンクリート化粧型枠に使用するという目的を、人力施工できる大きさと重量で、木の持つやさしさと美観を損なわずに実現した。
【実施例１】
【００１０】  図１は、本考案の１実施例断面図であって、１〜２は、図２、図３、図４と同様である。また、３はログパネル組立熔融亜鉛メッキボルト、４は雇実、５セパ穴、６コンクリート、７丸太、８セパレーター、９ホームタイである。【００１１】  図２は、ログパネル１を使用した実施例で、擁壁の化粧型枠として使用し、組立模様は市松格子で、ログパネル１の１枚当り４本の熔融亜鉛メッキアンカーボルト２で固定している。【００１２】  図３の実施例は、ログパネル１の１枚の寸法を、呼称として６００（５９７．５）×６００（５９７．６）としている。これは保存処理剤の注入により丸太の膨張を考慮したものである。ここでは、丸太７の径を９０ｍｍとしているが１００ｍｍサイズも同様であり、ログパネル組立熔融亜鉛メッキボルト３にて両側で緊結してパネル構造にする。この際、ログパネル組立熔融亜鉛メッキボルト３が雇実４の溝切りの障害とならないようにする。【００１３】  ログパネル１とコンクリート６との付着は、熔融亜鉛メッキアンカーボルト２にて固定する。固定箇所はログパネル１の１枚当り４箇所とする。【００１４】  図４の実施例は、ログパネル１の組立例を示している。ログパネル１の組立は、雇実４を使用しながらセパレーター８により所定の寸法を確保し、ログパネル１を一段ずつ組み立てホームタイ９にて固定する。この際、ログパネル１の方向は美観を考慮し、市松格子又は縞模様等の好みのデザインにすることができる。【００１５】  コンクリート６の打設は通常の施工と同様にするが、完了後はログパネル１の表面を水洗いするなどして汚れを清掃する。なお、コンクリート６の打設時の強度計算等は通常の型枠強度計算と同様に行うので、ここでは省略する。
【産業上の利用可能性】
【００１６】  国産間伐材の有効利用を視野に入れたログパネル１は、従来、化粧型枠として多く使用している石油二次製品の発砲スチロール等と異なり、環境にやさしく美観的にも良く、擁壁やトンネル坑門工などに適用できる。
【図面の簡単な説明】
【００１７】
【図１】ログパネルを擁壁化粧型枠として使用の断面図である。（実施例１）
【図２】ログパネルを擁壁化粧型枠として使用の正面図である。（実施例１）
【図３】ログパネルの製作方法を示した説明図である。（実施例１）
【図４】ログパネルの組立方法を示した仮設図である。（実施例１）
【符号の説明】
【００１８】１  ログパネル
２  熔融亜鉛メッキアンカーボルト
【図１】
0003106963.tif 000003
【図２】
0003106963.tif 000004
【図３】
0003106963.tif 000005
【図４】
0003106963.tif 000006
(57)【要約】【課題】従来型にあっては、大便のとき衣類を上身頃から脱いで、膝部に衣類を丸めないと排泄できない面倒さがあった。【解決手段】上身頃と下身頃を完全に分離できるように腰部ファスナー２を配置した。【選択図】図３
0003106964.tif 000002
【実用新案登録請求の範囲】
【請求項１】
上下身頃をつなぎの構造とし、臍部分に右前腹部から腰部を回って左臍部で上下が分離することを特徴とする腰部ファスナー２を配置し、上身頃を脱ぐことなく男女大便、女子小便できるつなぎ服。
【考案の詳細な説明】
【考案の開示】
【考案が解決しようとする課題】
【０００１】従来型にあっては、大便のとき衣類を上身頃から脱いで、膝部に衣類を丸めないと排泄できない面倒さがあった。
【課題を解決するための手段】
【０００２】請求項１に係わる考案は、上身頃と下身頃を完全に分離できる所に特徴がある。
【考案の効果】
【０００３】排便、排尿が軽快に行えるため、咄嗟の便意にも十分対応できる。いわゆる、通常の排便排尿ができる。
【考案を実施するための最良の形態】
【０００４】以下、本考案の実施形態を図面に基づき説明する。
【実施例】
【０００５】図２は、この考案でのつなぎ服を装着したときを示している。
図３は、この考案であるつなぎ服をトイレで使用したときを示している。
【図面の簡単な説明】
【０００６】
【図１】従来のつなぎ服での排泄状況を示している。
【図２】本考案でのつなぎ服の装着状況を示している。
【図３】本考案でのつなぎ服での排泄状況を示している。
【符号の説明】
【０００７】１  上下身頃がつながった衣服
２  腰部ファスナー
【図１】
0003106964.tif 000003
【図２】
0003106964.tif 000004
【図３】
0003106964.tif 000005
(57)【要約】【課題】  木材や紙などの２分点や３分点を求める場合において、計測、割り算計算、計測といった手順でおこなわなければならなかったものを、割り算計算をせずに容易にその値を求めたい。【解決手段】  従来のセンチやインチの目盛りを記した計測用具の、もう一方の側にその目盛りを２分の１や３分の１などに縮小した目盛りを併記することにより、通常目盛りで計測したのと同じ値を縮小目盛りの上で見つけると、それが求める２分点や３分点となる。よって割り算計算をしないで済み手順の簡略化につながる。また手順を逆にすることにより２倍点や３倍点も容易に見つけられることになった。【選択図】  図１
0003106941.tif 000002
【実用新案登録請求の範囲】
【請求項１】
メジャー、物差し、スケール（以後計測用具とする）の片側に通常のセンチやインチの目盛りを記し、もう一方の側にその目盛りを２分の１、あるいは３分の１に縮小したものを併記した計測用具
【考案の詳細な説明】
【考案の詳細な説明】
【考案が解決しようとする課題】
【０００１】  従来、木材や紙といった物を２等分あるいは３等分などにするため、２分点や３分点を見つける際は、そのサイズによっては難解な割り算の計算をしなければならないという問題を有していた。
【課題を解決するための手段】
【０００２】  上記目的を解決するために、物差しやスケールといった計測用具の片側に従来通りのセンチやインチや尺などの目盛りをつけ、もう一方の側には同じ単位を２分の１や３分の１に縮小した目盛りをつけた。これを用いることにより、従来対称物を計測してその数値を２あるいは３などで割るという計算をした後、再度その数値を計測して印を付けていたのを、計測した後ただちに縮小された目盛りの同じ数値のところに印しをつければ、それが求める値であるようにした。
【考案の効果】
【０００３】  本考案によって作業手順が簡素化され、割り算という計算をせずに済むようになった。また手順を逆にして縮小された目盛りで計測した後、従来の目盛りのその数値の所が２倍点、あるいは３倍点となり、この手順も簡素化された。
【図面の簡単な説明】
【０００４】
【図１】  従来のセンチの目盛りとそれを２分の１に縮小した目盛りを併記した計測用具の正面図である
【図２】  従来のインチの目盛りとそれを３分の１に縮小した目盛りを併記した計測用具の正面図である
【符号の説明】
１  従来の目盛り
２  縮小した目盛り
【図１】
0003106941.tif 000003
【図２】
0003106941.tif 000004
【手続補正書】
【提出日】平成16年7月15日(2004.7.15)
【手続補正１】
【補正対象書類名】実用新案登録請求の範囲
【補正対象項目名】全面
【補正方法】変更
【補正の内容】
【書類名】            実用新案登録請求の範囲
【請求項１】
メジャー、物差し、スケール（以後計測用具とする）の片側に通常のセンチの目盛りを記し、もう一方の側にその目盛りを２分の１、あるいは３分の１に縮小したものを併記した計測用具
【手続補正書】
【提出日】平成16年7月15日(2004.7.15)
【手続補正１】
【補正対象書類名】図面
【補正対象項目名】全面
【補正方法】変更
【補正の内容】
【書類名】  図面
【図１】
0003106941.tif 000005
【手続補正書】
【提出日】平成16年7月15日(2004.7.15)
【手続補正１】
【補正対象書類名】明細書
【補正対象項目名】全面
【補正方法】変更
【補正の内容】
【書類名】            明細書
【考案の名称】    等分、等倍を容易にした計測用具
【技術分野】
【０００１】
本考案は一定の長さのものの２等分、３等分あるいは２倍、３倍にあたる点（位置）を見つけだしたい時における作業の煩わしさの軽減を目的として、計測用具における通常のセンチ目盛りの反対側の側面にその目盛りの２分の１、あるいは３分の１の目盛りを併記した計測用具である。
【背景技術】
【０００２】
従来は目盛りの０の位置を同一にし、両側の目盛りを同時に使用することを、目的としたものはなかった。
【特許文献１】
【０００３】
特開２００３−１９９５（Ｐ２００３−１９９５Ａ）
【考案の開示】
【考案が解決しようとする課題】
【０００４】
従来、木材や紙といった物を２等分あるいは３等分などにするため、２分点や３分点を見つける際は、そのサイズによっては難解な割り算をしなければならないという課題を有していた。
【課題を解決するための手段】
【０００５】
従来の計測用具の片側にセンチの目盛りのついたものの反対側に始点を同一にしたその目盛りの２分の１、あるいは３分の１にした目盛りを記すことにより、始めに目盛り１によって計測した値の数値を割り算することなく、反対側の目盛りによって求めたい位置点の確認が瞬時にできるようにした。
【考案の効果】
【０００６】
本考案によって作業手順が簡素化され、割り算とう計算をせずに済むようになったまた手順を逆にして縮小された目盛りで計測した後、従来の目盛りのその数値の所が２倍点あるいは３倍点となり、この手順も簡素化された。
【図面の簡単な説明】
【０００７】
従来のセンチの目盛りとそれを２分の１に縮小した目盛りを併記した計測用具の正面図である。
【符号の説明】
１    従来の目盛り
２    縮小した目盛り
(57)【要約】【課題】複数のネックレスを収納する従来の収納ケースは、鎖が絡まり、取り出し時に不便がある。【解決手段】逆Ｔ字型の台座上に鎖を整然と並べることで、鎖の絡まりを防止できる。【選択図】図１
0003106944.tif 000002
【実用新案登録請求の範囲】
【請求項１】
プラスチック、木等で逆Ｔ字型の台座を、開閉式カバーで覆う。
逆Ｔ字型台座の表面（頂部のみでも可）にキルト綿、スポンジ、ゴム等の滑り止めを貼り付ける。
【請求項２】
収納ケースをピアス、ブローチ等のアクセサリーボックス（引き出し式）と組み合わせる。
【考案の詳細な説明】
【技術分野】
【００１】本考案は複数のネックレスを収納する際、鎖が絡まらず、かつ、選別が容易な整理用の箱に関する。
【背景技術】
【００２】
【考案の開示】
【考案が解決しようとする課題】
【００３】複数のネックレスを一つのケースに収納した場合、鎖が絡まり、取出しが不便である。
【課題を解決するための手段】
【００４】台座手前の底板にアクセサリーを置き、鎖は反対側に垂らす。
鎖が滑り落ちないよう、台座の表面（頂部のみも可）にキルト綿、スポンジ、ゴム等の滑り止めを貼付ける。
開閉式カバーで台座を覆うことにより、ホコリを防ぐ。
【考案の効果】
【００５】従来、ネックレスを複数収納すると鎖がお互いに絡む状態となる。
本収納ケースは鎖の絡みはなく、かつ、整然と収納できる。
【考案を実施するための最良の形態】
【００６】プラスチック、木或いは同等の素材で作成する。
本収納ケース単体或いは引き出し式のアクセサリーボックスと組み合わせる。
【図面の簡単な説明】
【００７】
【図１】ネックレス収納ケース基本型である。
【図２】ネックレス収納ケース応用型である。
【図３】ネックレス収納ケースイメージ試作品である。
【符号の説明】
▲１▼  台座
▲２▼  ケースカバー（開閉式）
▲３▼  滑り止め
【図１】
0003106944.tif 000003
【図２】
0003106944.tif 000004
【図３】
0003106944.tif 000005
【手続補正書】
【提出日】平成16年7月2日(2004.7.2)
【手続補正１】
【補正対象書類名】実用新案登録請求の範囲
【補正対象項目名】全文
【補正方法】変更
【補正の内容】
【実用新案登録請求の範囲】
【請求項１】
逆Ｔ字型の形状の台座にすべり止めを取り付けた構造であり、鎖の絡み防止及び鎖のすべり防止機能を有するネックレス収納ケース。
【手続補正書】
【提出日】平成16年9月10日(2004.9.10)
【手続補正１】
【補正対象書類名】実用新案登録請求の範囲
【補正対象項目名】全文
【補正方法】変更
【補正の内容】
【実用新案登録請求の範囲】
【請求項１】
逆Ｔ字型の形状の台座の表面ににすべり止めを取り付けた台座を開閉式カバーで覆ったネックレス収納ケース。
(57)【要約】【課題】  従来のズボンは、股の部分が縫い目があり、縫い目の糸が切れたりするため弱かった。それを改善するため、縫い目をなくし、丈夫な、安定感のある、また本体部分が１枚の布から裁断できる介護用サポートパンツを提供する。【解決手段】  股の部分を直線にし股のくりをなくし、前後の股ぐりの縫い目、脇線の縫い目をなくした本体部分は、１枚の布から裁断できる。しかも、表にウエスト部分、股上の前後部分、見返し部分を二重にすることで、介護者の負担、介助者の労力を軽減した。【選択図】図３
0003106937.tif 000002
【実用新案登録請求の範囲】
【請求項１】
本体部分は１枚の布より裁断し、股の部分を直線で股のくりを無くし前後の股ぐりの縫い目と脇線の縫い目を無くし、しかもウエスト部分と股上部分を別布で表側に縫いつけたことを特徴とする介護用サポートパンツ。
【考案の詳細な説明】
【技術分野】
【０００１】  本考案は本体部分が１枚の布から裁断でき股のくりを無くし、前後股ぐりの縫い目と脇線の縫い目を無くした、介護用サポートパンツである。
【背景技術】
【０００２】  従来から介護者のためのズボンは色々考案されている。しかし、従来からのズボンは股ぐりに縫い目があり布を裁断時も股上部分が斜線になっていた。
【考案の開示】
【考案が解決しようとする課題】
【０００３】  これには、次のような問題点があった。
介護者を、ベットから車椅子へ、またはトイレへと移動させたりする時、殆どの場合、介助者がズボンをもって移動させようとするが、力が入りにくく、縫い目が股に食い込んだり、縫い目の糸が切れたり、布が破れたりすることが多かった。このサポートパンツは布にかかる力を考慮し、介護者の負担、介助者の労力を軽減する研究をした。
【課題を解決するための手段】
【０００４】  １枚の布から裁断し、股上前後を縫い目なしで直線にし、しかも股の前後を別布で二重にすることで問題点を解決している。
【考案の効果】
【０００５】  したがって、股の前後が二重になっているため、介助者が股上後部をつかんで持ち上げても、介護者の股の食い込みがなく、二重であるため、安定感がある。就寝時間の長い方は、横寝、上向きの姿勢が多く、後中心部の縫い目が、皮膚に与える負担もある。この考案によれば、後ろ中心、脇、各々の縫い目を全てなくしたことによって、皮膚に与える刺激もなく、介助人の労力も軽くなる。
【考案を実施するための最良の形態】
【０００６】  このサポートパンツは、一般のズボン形式のものと異なり、股の部分を直線にし、股のくりを無くし、前後の股ぐりの縫い目を無くした本体部分は、１枚の布から裁断する。
【実施例】
【０００７】  以下、本考案の実施例について説明する。
１枚の布より、右脚部、股上前後部、左脚部を続けて、直線で裁断する【０００８】  前後股上部分、ウエスト部分、見返し部分は、別布で表側に縫い付ける。別布部分は二重となり、丈夫で安定感がでる。【０００９】  １０の右脚部分、左脚部分は９の縫い止まり位置まで、縫いつけておく。
股にかかる部分には、８の三角形の力布を、縫いつけておく。
力布をつける事で、さらに丈夫になる。【００１０】  １３の股上部分は、表側に、６箇所、マジックテープをつける。
符号は２ａ・３ａ・４ａ・５ａ・６ａ・７ａ．である。【００１１】  １４の見返し部分は、表側に、６箇所マジックテープをつける
符号は、２・３・４・５・６・７・である。
各々のマジックテープは、２と２ａ、３と３ａ、４と１４ａ、５と１５ａ、６と６ａ、７と７ａという様に装着時に前でとめる。【００１２】  １２のウエスト部分は表側につけた布の中に、背中に当たる部分を、除いて左右にゴムをいれて、調節できるようにする。表にゴムの通し口をつけることで、ゴムの交換もしやすくする。
【図面の簡単な説明】
【００１３】
【図１】  本考案後部分の斜視図である。
【図２】  本考案前部分の斜視図である。
【図３】  本考案正面の展開図である。
【符号の説明】
【００１４】１  ウエストゴム入り口
２、３，４  マジックテープ
５、６、７  マジックテープ
２ａ，３ａ，４ａ  表側にマジックテープ
５ａ，６ａ，７ａ  表側にマジックテープ
８  力布
９  縫い止り位置
１０  股下縫い合わせ部分
１１  斜線部分は別布
１２  ウエスト部分
１３  股上部分
１４  見返し部分
【図１】
0003106937.tif 000003
【図２】
0003106937.tif 000004
【図３】
0003106937.tif 000005
(57)【要約】【課題】  テールランプのランプカバー内に、図像を表現する彫刻板を装設して発光ダイオードにより照射して生じる図像の反射光を、該カバーの後背面へ透過して表示することを特徴とする発光ダイオード・テールランプを提供しようとするものである。【解決手段】  自動二輪車のテールランプにおいて、機体装着側のランプホルダーのほぼ中央位に、照射角度が広く、高輝度の発光ダイオードを配設し、透明赤色のランプカバーを覆設し、該カバー内後背面と発光ダイオードとの中間位に装脱可能な透明の図像彫刻を横装してなり、図像彫刻板を発光ダイオードの照射光を図像彫刻板へ照射して生じる図像の反射光を、カバー後背面へ透過して表示することを特徴としている。【選択図】  図２
0003106935.tif 000002
【実用新案登録請求の範囲】
【請求項１】
自動二輪車のテールランプにおいて、機体装着側のランプホルダー（１）のほぼ中央位に、光源として、照射角度が広く、高輝度の発光ダイオード（２）を配設し、透明赤色のランプカバー（３）を覆設し、該カバー内の後背面（３ａ）と発光ダイオード（２）との中間位に装脱可能な透明の図像彫刻板（４）を横装してなり、該彫刻板を発光ダイオード（２）により照射して生じる図像の反射光を、ランプカバー後背面（３ａ）へ透過して表示することを特徴とする発光ダイオード・テールランプ。
【考案の詳細な説明】
【技術分野】
【０００１】  本考案は、高輝度の発光ダイオードを光源とする自動二輪車の尾灯、即ち、テールランプに関するものである。
【背景技術】
【０００２】  自動二輪車のテールランプにおいて、ランプ光源として、白熱灯の代わりに高輝度の発光ダイオードを適用するものは公知であって、カップ状のランプカバーは、カバー後背面にレンズ状、枡目状及び筋目状模様などを成型した白熱灯用のものを転用することが多いが、発光ダイオード適用による利点を活用するテールランプの提案が要請される。
【考案の開示】
【考案が解決しようとする課題】
【０００３】  本考案は、上記の問題に鑑みてなされたものであって、その目的とするところは、白熱灯バルブより長寿命で小粒状の発光ダイオードに置き換え、ランプカバー内の空間位に、図像を表現する彫刻板を装設し、発光ダイオードにより照射して生じる図像の反射光を、同カバーの後背面へ透過して表示することを特徴とする発光ダイオード・テールランプを提供しようとするものである。
【課題を解決するための手段】
【０００４】  上記目的を達成するために、本考案における発光ダイオード・テールランプにおいては、ランプホルダーのほぼ中央位に照射角度が広く、高輝度の発光ダイオードを配設し、赤色透明のランプカバーを覆設し、該カバー内の後背面と発光ダイオードとの中間位に装脱可能な透明の図像彫刻板を横装してなり、該彫刻板を発光ダイオードにより照射して生じる図像の反射光を、ランプカバー後背面へ透過して表示することを特徴としている。【０００５】  また、上記構成のものにおいて、ランプカバー下位に開口窓を設け、無色透明の窓板を嵌装し、窓板を通じてナンバープレートを照射するものとする。
【考案の効果】
【０００６】  請求項１の発光ダイオード・テールランプにおいては、白熱灯の代わりに、広範囲の照射角度を有する高輝度の光源として、小粒状の発光ダイオードを適用し、ランプカバー内の空間位に、装脱可能な図像彫刻板を横装して照射される図像の反射光を、同カバー後背面へ透過して表示し、必要に応じて、ブランド銘、オーナー名、シンボル・マ−ク、ブレーキ操作状態の表示などの図像を選択して表示することができる。【０００７】  また、図像表示手段としての図像彫刻板をランプカバーに内装し、ランプカバー自体は、後背面にフレンネルレンズを形設してもよいが、複雑な図像彫刻を施さず、可及的平滑な表面となして単純化し、成形用金型の製作を簡易化している。【０００８】  また、ランプカバー下位に開口窓を設け、無色透明の窓板を嵌装しており、発光ダイオードの照射光により、同窓板を透過してナンバープレートを照射し、テールランプとしての必要条件を満たしている。
【考案を実施するための最良の形態】
【０００９】  考案の実施の形態を図面の実施例につき説明すると、図１ないし図４において、自動二輪車の機体装着側のランプホルダー１のほぼ中央位に、光源として、照射角度が広く、高輝度の発光ダイオード２を配設し、赤色透明のランプカバー３を覆設し、該カバー内の後背面３ａと発光ダイオード２との中間位に装脱可能な透明の図像彫刻板４を横装してなり、図像彫刻板４を発光ダイオード２により照射して生じる図像の反射光を、カバー後背面３ａへ透過して表示することとしている。
【実施例】
【００１０】  図１ないし図４において、ランプホルダー１のほぼ中央位に、発光ダイオードの点灯回路１ａを収装して該回路基板に、１個ないし複数個の発光ダイオード２，２を載設し、テールランプ光源としての明るさを確保する。【００１１】  上記、発光ダイオード２は、所謂、ダイオード・ドーム形状が高く、照射角度１２０〜１６０度、明るさ最大１２０ルーメン、電力５Ｗ級であってヒートシンク付きのものが推奨され、通常白色光とし、複数個のダイオードを使用するときは、他の色合いのものを併用してもよいが、道路運送車両灯火類の保安基準第３７条に適合することとする。【００１２】  図中の、カバー内の後背面３ａと発光ダイオード２との中間位には、ランプホルダー１へ図像彫刻板支持具４ｂを介して、装脱可能な透明の図像彫刻板４を横装している。【００１３】  そして、図像彫刻板４は加工の容易な平板状の透明板を使用し、必要に応じて、ブランド銘、オーナー名、シンボル・マ−ク、ブレーキ操作状態表示などの形像として、浮彫、透かし彫り及びパンチングなどによる図像彫刻４ａを施している。【００１４】  また、発光ダイオード２の照射角度を１２０〜１６０度と広範囲としており、上記のランプカバー３下位に開口窓を設け、無色透明の窓板５を嵌装し、発光ダイオード２の照射光により、同窓板を透過してナンバープレートを照射することとしている。
【産業上の利用可能性】
【００１５】  考案の実施例は、二輪自動車、カタピラ及びそりを有する軽自動車並びに幅〇．八メートル以下の自動車の後面に備える、一個の尾灯を対象としているが、自動車（最高速度二十キロメートル毎時未満の軽自動車及び小型特殊自動車を除く。）の後面の両側に備える尾灯にも適用できる。
【図面の簡単な説明】
【００１６】
【図１】  本考案の発光ダイオード・テールランプを車体に装着した状態において、下位より見る立面図である。
【図２】  図１の断面図である。
【図３】  図２のＡ−Ａにおける断面図である。
【図４】  図２のＢ−Ｂにおける断面図である。
【符号の説明】
【００１７】  １ランプホルダー
１ａ点灯回路
２発光ダイオード
３ランプカバー
３ａ後背面（ランプカバーの）
４図像彫刻板
４ａ図像彫刻
４ｂ図像彫刻板支持具
５窓板
６車体
【図１】
0003106935.tif 000003
【図２】
0003106935.tif 000004
【図３】
0003106935.tif 000005
【図４】
0003106935.tif 000006
(57)【要約】【課題】何日にどの店でどれだけの商品を購入したか、および、その合計額を明確に把握できるとともに、日記も容易に日々記載できる家計簿を提供する事にある。【解決手段】見開き１ページに１か月分の日付とそれに対応する曜日が順に記載された各日付項目を有するカレンダー欄と、日記を記載する各日付項目を有する日記欄と、各日付に購入等した品物等の店名、および、合計額を記載する店名項目および合計項目を有する支出欄を備えたものである。【選択図】図１
0003106938.tif 000002
【実用新案登録請求の範囲】
【請求項１】
見開き１ページに、１か月分の日付とそれに対応する曜日が順に記載された各日付項目を有するカレンダー欄と、このカレンダー欄の各日付項目に対応して各日付の日記を記載する各日記項目を有する日記欄と、上記カレンダー欄の各日付項目および上記日記欄の各日記項目に対応して各日記に購入等した品物等の店名、および、合計額を記載する店名項目および合計項目を有する支出欄を備えたことを特徴とする家計簿。
【請求項２】
前記カレンダー欄の各日付項目に対応する六輝が記載されている事を特徴とする請求項１に記載の家計簿。
【考案の詳細な説明】
【技術分野】    本考案は家計簿に関する
【背景技術】日付欄付きの家計簿として、例えば特許文献１がある。この特許文献１に開示された家計簿は、見開きの左ページ面に領収書を添付するスペースがあり、右ページ面には１週間分の日記が記載できる日付欄がある。
【特許文献】登録実用新案  第３０４４５９７号
【考案の開示】
【考案が解決しようとする課題】上記特許文献に示す家計簿では、何日にどの店でどれだけの商品を購入したかを把握しにくい。また、日記を毎日毎日ある分量だけ記載し続けるのは大変である。
本考案の目的は、何日にどの店でどれだけの商品を購入したか、および、その合計額を明確に把握できるとともに、日記も容易に日々記載できる家計簿を提供する事にある。
【課題を解決するための手段】請求項１の考案は、見開き１ページに１ヶ月分の日付とそれに対応する曜日が順に記載された各日付項目を有するカレンダー欄と，このカレンダー欄の各日付項目に対応して各日付の日記を記載する各日付項目を有する日記欄と、上記カレンダー欄の各日付項目および上記日記欄の各日記項目に対応して各日付に購入等した品物等の店名、および、合計額を記載する店名項目および合計項目を有する支出欄を備えたものである。
請求項２の考察は、前記カレンダー欄の各日付項目に対応する六輝（大安、友引など））が記載されたものである。
【考案の効果】１ヶ月が見開き１ページなので１ヶ月の流れが一目でわかる。と同時にカレンダー、日記も人目で把握できる。
【考案を実施するための最良の形態】本考案に係る家計簿は、図１に示すように見開き１ページに１か月分の日付とそれに対応する曜日が順に記載された各日付項目を有するカレンダー欄１０と、このカレンダー欄の各日付項目に対応して各日付の日記を記載する各日記項目を有する日記欄２０と上記カレンダー欄の各日付項目および上記日記欄の各日記項目に対応して各日付に購入等した品物等の店名３１、および合計項３２を記載する店名項目および合計項目を有する支出欄３０を備えた事を特徴とする家計簿。この実施形態では、前記カレンダー欄の各日付項目に対応する六輝（大安・友引など）が記載されている請求項１に記載の家計簿。なお、上記実施形態では、カレンダー欄１０、日記欄２０、店名３１等を左右方向に順に並べたが，図２に示すように上下方向に並べても良い。なお、図３は本発明に係る家計簿（ずぼら家計簿）の全体を示す斜視図である。
【図面の簡単な説明】
【図１】は、本考案を説明するための図である。
【図２】は、変形例を説明するための図である。
【図３】は、全体を示す斜視図である。
【符号の説明】
１０・・カレンダー欄    ２０・・一口日記    ３０・・費用（食費・教育費など）
３１・・店名（スーパーなど）    ３２・・レシートの合計金額    ｑ
【図１】
0003106938.tif 000003
【図２】
0003106938.tif 000004
【図３】
0003106938.tif 000005
(57)【要約】【課題】  この種の徘徊老人の監視器のうち、赤外線センサーを使用した人の監視器では、健常者と徘徊老人との区別が付かず、また、防犯用の防犯タグセンサーでの監視器では、設備が大がかりで一般家庭向きではなく、さらに、徘徊老人に発信器を持たせ、一定エリアから離れたらアラームが嗚る監視器では、徘徊老人が発信器を取り外したり、捨てるという運用上の制約が出るという課題があった。【解決手段】    本考案は上記課題を解決するために、赤外線センサーを使用して宅内や施設内の出入り口付近で人を感知後、微小電力無線の電波を送信し、徘徊老人の衣服内に収容したタグ部で電波を反射させる。反射した電波を感知すると、徘徊老人と特定し、警報を嗚らし、自動通報装置の起動信号を発生するなど、徘徊老人の外出を知らせる報知動作を適時に行い、第三者にいち早く報知出来るようにして、従来の問題を解決させるものである。【選択図】  図１
0003106936.tif 000002
【実用新案登録請求の範囲】
【請求項１】
本考案は、微小電力無線の送受信機、赤外線センサー、及びアラーム報知機能を持つ本体部と、微小電力無線を反射するアンテナを収納した衣服用タグ部とで構成され、衣服用タグ部は徘徊老人の衣服内に収容し、本体部は宅内、施設内の出入り口に設置し、衣服用タグ部の付いた衣服を着た徘徊老人が本体部の前を通過した際にアラーム報知できるようにした徘徊老人監視器。
【考案の詳細な説明】
【考案の詳細な説明】
【技術分野】
【０００１】  本考案は、徘徊老人が、宅内や施設内から不用意な外出の監視に関する。
【背景技術】
【０００２】  従来、徘徊老人が、宅内や施設内から外出することの監視で、徘徊老人を特定し、かつ、身につける機器が徘徊老人に違和感を与えず、小型の機器はなかった。
【考案が解決しようとする課題】
【０００３】  しかしながら、上記従来の監視器は、赤外線センサーを使用した人の監視器では、健常者と徘徊老人との区別が付かず、センサーの前を通過する人があれば全て反応してしまい、また、防犯用の防犯タグセンサーでの監視器は、設備が大がかりで一般家庭向きではなく、さらに、徘徊老人に発信器を首からぶら下げ、一定エリアから離れたらアラームが鳴る監視器は、徘徊老人が発信器を取り外したり、捨てるという運用上の制約が出るという問題があった。
【課題を解決するための手段】
【０００４】  本考案は、赤外線センサーを使用して宅内や施設内の出入り口付近で人を感知後、微小電力無線の電波を送信し、徘徊老人の衣服内に収容したタグ部からの電波を反射を監視する。タグ部からの電波の反射を感知すると、徘徊老人と特定し、警報を鳴らし、自動通報装置の起動信号を発生するなど、徘徊老人の外出を知らせる報知動作を適時に行い、徘徊老人の行動を第三者にいち早く報知出来るようにして、従来の問題を解決させるものである。
【考案を実施するための最良の形態】
【０００５】  人体感知用の赤外線センサーと微小電力無線の送受信機で本体部の中のセンサー部を構成する。赤外線センサーが人の存在を感知した上、微小電力無線の電波を送信し、徘徊老人の衣服内に収容したタグ部で反射した電波が感知出来ると、赤外線センサーで感知した人を徘徊老人と判定する。徘徊老人と判定出来た場合、徘徊老人の不用意な外出と判断する機能をもち、警報を鳴らすと共に、自動通報装置等への起動信号を発生させるものである。
【実施例】
【０００６】  図１は本考案の実施例である徘徊老人監視器の設置例図で、１は本体部、２は衣服用タグ部、３は徘徊老人、４は本体部用電源、５は赤外線センサー感知範囲、６は微小電力無線、７は自動通報装置である。【０００７】  図２は本考案の実施例である徘徊老人監視器の構成概略ブロック図で、１１はＣＰＵ回路、１２は赤外線センサー検知回路、１３は微小電力無線送受信回路、１４は警報音発生回路、１５は自動通報装置起動回路である。【０００８】  図３は本考案の実施例である徘徊老人監視器の本体部概略外観図で、２１は赤外線センサー、２２は微小電力無線アンテナ、２３は警報用スピーカ、２４は警報表示ランプである。【０００９】  次に上記実施例の動作について説明する。図１において実施例の本体部１の赤外線センサー感知範囲５を宅内や施設内の出入り口付近に向け、微小電力無線６の受信が可能な範囲の商用電源コンセント付近の壁に、本体部１を本体部用電源４と共に取り付ける。次に、徘徊老人３の衣服の襟首あたりの違和感を感じさせない箇所に衣服用タグ部２を貼り付ける。【００１０】  宅内や施設内の出入り口付近に人が近づくと、本体部１の赤外線センサー２１と、赤外線センサー検知回路１２で検知し、検知情報をＣＰＵ回路１１に伝達する。ＣＰＵ回路１１は微小電力無線送受信回路１３、微小電力無線アンテナ２２から微小電力無線６を送信し、反射して来る微小電力無線６を微小電力無線アンテナ２２を通して微小電力無線送受信回路１３で検知する。この時、宅内や施設内の出入り口付近に立っているのが、衣服用タグ部２を貼り付けた衣服を着た徘徊老人３であった場合、衣服用タグ部２で微小電力無線６を反射して微小電力無線送受信回路１３で検知でき、ＣＰＵ回路１１で徘徊老人を判定する。徘徊老人３と判定すると、ＣＰＵ回路１１は警報音発生回路１４、警報用スピーカ２３から警報を鳴らし、さらに、警報表示ランプ２４を点灯、自動通報装置起動回路１５を介して自動通報装置７を作動させ、徘徊老人３の不用意な外出を通報するようにしている。
【考案の効果】
【００１２】  本考案は上記実施例より明らかなように、人体感知用のセンサーでブザー等を鳴らすものでは、宅内や施設内の出入り口付近に立つ人の、健常者と徘徊老人の区別が出来ない。また、防犯用の防犯タグセンサーでの監視器は、設備が大がかり設置しづらく、さらに、徘徊老人に発信器を持たせるものでは、徘徊老人が発信器を取り外したり、捨てるという運用上の制約が出ることもある。徘徊老人監視器を使用することで、徘徊老人を介護する周囲の人間の負担を十分に軽減する効果を有する。また、徘徊老人を介護する人間が留守であった場合、自動通報装置の起動用信号を発生させる機能があるため、公衆回線を使って特定箇所に通報が出来る。自動通報装置を併用することにより、徘徊老人の不用意な外出を外部の第三者にも通報が行える効果も有する。
【図面の簡単な説明】
【図１】  本考案の実施例の徘徊老人監視器の構成図。
【図２】  本考案の実施例の徘徊老人監視器の構成概略ブロック図。
【図３】  本考案の実施例の徘徊老人監視器の本体部概略外観図。
【符号の説明】
１          本体部
２          衣服用タグ部
３          徘徊老人
４          本体部用電源
５          赤外線センサー感知範囲
６          微小電力無線
７          自動通報装置
１１        ＣＰＵ回路
１２        赤外線センサー検知回路
１３        微小電力無線送受信回路
１４        警報音発生回路
１５        自動通報装置起動回路
２１        赤外線センサー
２２        微小電力無線アンテナ
２３        警報用スピーカ
２４        警報表示ランプ
【図１】
0003106936.tif 000003
【図２】
0003106936.tif 000004
【図３】
0003106936.tif 000005